【手続補正書】
【提出日】平成18年2月7日(2006.2.7)
【手続補正１】
【補正対象書類名】特許請求の範囲
【補正対象項目名】全文
【補正方法】変更
【補正の内容】
【特許請求の範囲】
【請求項１】
単一のポリマーマトリックス層を有する皮膚、毛嚢、または皮脂腺への有効レベルの化粧用、皮膚用、または薬剤用活性成分の制御された局所または経皮デリバリーを目的とするパッチ。
【請求項２】
該ポリマーマトリックス層は、生体接着性で、水溶性のフィルム形成ポリマーを含む、請求項１に記載のパッチ。
【請求項３】
該ポリマーマトリックス層は、炭水化物、デンプン、デンプン誘導体、デンプン水解物、化工デンプン、化工デンプン誘導体、ヒドロキシアルキルデンプン、ヒドロキシプロピルセルロース、マルトデキストリン、ポリビニルアルコール、セルロース誘導体、ポリサッカリドゴム及びそれらの誘導体、ポリエチレングリコール、水溶性アクリル、水溶性ポリエステル、ポリビニルピロリドン、ポリビニルピロリドンセルロース誘導体、カゼイン、ゼラチン、可溶化タンパク質、ポリアクリルアミド、ポリアミン、ポリ第４級アミン、スチレン−無水マレイン酸（ＳＭＡ）樹脂、ポリエチレンアミンならびにこれらの組み合わせからなる群より選択される一以上の材料を含む、請求項１または２に記載のパッチ。
【請求項４】
該ポリマーマトリックス層は、ポリビニルアルコール、ポリビニルピロリドン、化工デンプン誘導体及び水解デンプンならびにこれらの組み合わせからなる群より選択される一以上の材料を含む、請求項３に記載のパッチ。
【請求項５】
ポリマーマトリックス層中に均一に分布する一以上の化粧用、皮膚用、及び薬剤用活性成分をさらに含む請求項１〜４のいずれか１項に記載のパッチ。
【請求項６】
該化粧用、皮膚用、または薬剤用活性成分は、抗酸化剤；フリーラジカルスカベンジャー；湿潤化剤；脱色剤；脂肪調節剤(liporegulator)；反射剤(reflectant)；保湿剤；抗菌剤；アレルギー抑制剤；アクネ防止剤(anti-acne agent)；老化防止剤；しわ防止剤(anti-wrinkling agent)；防腐剤；鎮痛剤；鎮咳剤；鎮痒薬；局所麻酔剤；抜け毛防止剤(anti-hair loss agent)；育毛促進剤；育毛阻害剤；ふけ防止剤(anti-dandruff agent)；抗ヒスタミン剤；角質溶解剤；抗炎症剤；フレッシュナー(freshener)；修復剤(healing agent)；抗感染薬；炎症阻害剤；鎮吐薬；抗コリン作用薬；血管収縮剤；血管拡張剤；創傷治癒増強剤；ペプチド, ポリペプチド；タンパク質；脱臭剤；制汗薬；皮膚軟化薬；皮膚湿潤化剤；軟化剤；ヘアーコンディショナー；毛髪軟化剤；毛髪湿潤化剤；日焼け剤；美白剤(skin lightening agent)；抗真菌剤；脱毛剤；外用鎮痛薬；反対刺激薬；痔疾薬；殺虫剤；ツタ毒治療薬；カシ毒治療薬；火傷治療薬；おむつかぶれ治療薬；あせも治療薬(prickly heat agent)；メーキャップ製剤；ビタミン；アミノ酸；アミノ酸誘導体；ハーブエキス；レチノイド；フラボイド(flavoid)；感覚マーカー；抗酸化剤；スキンコンディショナー；ヘアーライトナー；キレート剤；細胞交替促進剤；着色剤；日焼け止め；麻酔剤；免疫調節剤, 栄養剤；吸湿剤；皮脂吸収剤及びこれらの混合物からなる群より選択される一以上である、請求項５に記載のパッチ。
【請求項７】
トリクロサンポビドン、ヨウ素、レゾルシノール、フェノキシ、イソプロパノール及びクロルヘキシジンからなる群より選択される一以上の防腐剤をさらに含む請求項１〜６のいずれか１項に記載のパッチ。
【請求項８】
エリスロマイシン(erythromyxin)、テトラサイクリン、セファロスポリン及びクリンダマイシンからなる群より選択される一以上の抗菌剤をさらに含む請求項１〜７のいずれか１項に記載のパッチ。
【請求項９】
サリチル酸の角質溶解剤をさらに含む請求項１〜８のいずれか１項に記載のパッチ。
【請求項１０】
ヨウ素、水銀、銀、フェノール、及びニトロフラゾンならびにこれらの組み合わせからなる群より選択される一以上の局所防腐剤をさらに含む請求項１〜９のいずれか１項に記載のパッチ。
【請求項１１】
アスピリン及びイブプロフェンからなる群より選択される抗炎症剤をさらに含む請求項１〜１０のいずれか１項に記載のパッチ。
【請求項１２】
抗ヒスタミン剤及びカラミンからなる群より選択される抗刺激組成物をさらに含む請求項１〜１１のいずれか１項に記載のパッチ。
【請求項１３】
カプサイシン、メントール、及びチョウジ油からなる群より選択される反対刺激組成物をさらに含む請求項１〜１２のいずれか１項に記載のパッチ。
【請求項１４】
湿潤化剤をさらに含む請求項１〜１３のいずれか１項に記載のパッチ。
【請求項１５】
アロエ、ラノリン、グリセリン、鉱油、及びこれらの組み合わせからなる群より選択される一以上の湿潤化剤をさらに含む請求項１４に記載のパッチ。
【請求項１６】
ナノ粒子またはミクロ粒子中に封入された一以上の化粧用、皮膚用、及び薬剤用活性成分をさらに含む請求項１〜１５のいずれか１項に記載のパッチ。
【請求項１７】
浸透促進剤をさらに含む請求項１〜１６のいずれか１項に記載のパッチ。
【請求項１８】
抗炎症性鎮痛剤、ステロイド性抗炎症剤、抗ヒスタミン剤、局所麻酔剤、殺菌剤、消毒剤、血管収縮剤、止血薬、化学療法薬、抗生物質、角質溶解剤、焼灼剤(cauterizing agent)、抗ウィルス薬、及びこれらの組み合わせからなる群より選択される一以上の薬剤活性成分をさらに含む請求項１〜１７のいずれか１項に記載のパッチ。
【請求項１９】
該マトリックスは透明である、請求項１〜１８のいずれか１項に記載のパッチ。
【請求項２０】
該マトリックスは着色している、請求項１〜１８のいずれか１項に記載のパッチ。
【請求項２１】
グリセロール、プロピレングリコール、多価アルコール、ソルビトール及びソルビトール誘導体からなる群より選択される可溶化剤をさらに含む請求項１〜２０のいずれか１項に記載のパッチ。
【請求項２２】
老化防止活性剤をさらに含む請求項１〜２１のいずれか１項に記載のパッチ。
【請求項２３】
脱色活性剤をさらに含む請求項１〜２２のいずれか１項に記載のパッチ。
【請求項２４】
アクネ防止剤をさらに含む請求項１〜２３のいずれか１項に記載のパッチ。
【請求項２５】
ジヒドロキシアセトンの日焼け剤をさらに含む請求項１〜２４のいずれか１項に記載のパッチ。
【請求項２６】
炭酸水素ナトリウム及び炭酸ナトリウムからなる群より選択される発泡剤をさらに含む請求項１〜２５のいずれか１項に記載のパッチ。
【請求項２７】
抗酸化剤、フリーラジカルスカベンジャー、湿潤化剤、脱色剤、脂肪調節剤、アクネ防止剤、ふけ防止剤、老化防止剤、軟化剤、しわ防止剤、角質溶解剤、抗炎症剤、フレッシュナー、修復剤、血管保護剤(vascular protector)、抗菌剤、抗真菌剤、制汗薬、脱臭剤、スキンコンディショナー、麻酔剤、免疫調節剤及び栄養剤、吸湿剤、及び皮脂吸収剤からなる群より選択される皮膚に効果のある少なくとも一の活性成分をさらに含む請求項１〜２６のいずれか１項に記載のパッチ。
【請求項２８】
約１ｃｍ２〜約３０ｃｍ２の範囲の大きさ、及び処置領域の形状に一致するような形状を有する、請求項１〜２７のいずれか１項に記載のパッチ。
【請求項２９】
ポリマーマトリックス層は、約０．０００１ｍｍ〜約１．０ｍｍの厚みを有する、請求項１〜２８のいずれか１項に記載のパッチ。
【請求項３０】
パッチを適用する前に皮膚の表面を湿らせる、請求項１〜２９のいずれか１項に記載のパッチ。
【請求項３１】
皮膚、毛嚢または皮脂腺の一定領域を湿らせ；さらに
皮膚、毛嚢または皮脂腺に、水溶性ポリマーマトリックス層を有するパッチを貼り付ける
段階を有する、皮膚、毛嚢または皮脂腺へのパッチの接着方法。
【請求項３２】
該パッチは、抗酸化剤；フリーラジカルスカベンジャー；湿潤化剤；脱色剤；脂肪調節剤；反射剤；保湿剤；抗菌剤；アレルギー抑制剤；アクネ防止剤；老化防止剤；しわ防止剤；防腐剤；鎮痛剤；鎮咳剤；鎮痒薬；局所麻酔剤；抜け毛防止剤；育毛促進剤；育毛阻害剤；ふけ防止剤；抗ヒスタミン剤；角質溶解剤；抗炎症剤；フレッシュナー；修復剤；抗感染薬；炎症阻害剤；鎮吐薬；抗コリン作用薬；血管収縮剤；血管拡張剤；創傷治癒増強剤；ペプチド、ポリペプチド；タンパク質；脱臭剤；制汗薬；皮膚軟化薬；皮膚湿潤化剤；軟化剤；ヘアーコンディショナー；毛髪軟化剤；毛髪湿潤化剤；日焼け剤；美白剤；抗真菌剤；脱毛剤；外用鎮痛薬；反対刺激薬；痔疾薬；殺虫剤；ツタ毒治療薬；カシ毒治療薬；火傷治療薬；おむつかぶれ治療薬；あせも治療薬；メーキャップ製剤；ビタミン；アミノ酸；アミノ酸誘導体；ハーブエキス；レチノイド；フラボイド；感覚マーカー；抗酸化剤；スキンコンディショナー；ヘアーライトナー；キレート剤；細胞交替促進剤；着色剤；日焼け止め；麻酔剤；免疫調節剤、栄養剤；吸湿剤；皮脂吸収剤及びこれらの混合物からなる群より選択される一以上の化粧用、皮膚用、または薬剤用活性成分をさらに含む、請求項３１に記載の方法。
【請求項３３】
皮膚、毛嚢または皮脂腺に、１分〜１２時間の期間、適用する、請求項１〜３０のいずれか１項に記載のパッチ。
【請求項３４】
該パッチは、検出可能な保護層をさらに有する、請求項１〜３０及び３３のいずれか１項に記載のパッチ。
【請求項３５】
封入された活性成分がさらに該ポリマーマトリックス層中に分散されてなる、請求項１〜３０及び３３〜３４のいずれか１項に記載のパッチ。
【請求項３６】
該封入された活性成分は、ミクロ粒子またはナノ粒子である、請求項３５に記載のパッチ。
【請求項３７】
該ミクロ粒子またはナノ粒子は、疎水性材料から形成される、請求項３６に記載のパッチ。
【請求項３８】
該ミクロ粒子またはナノ粒子は、該ポリマーマトリックス層中に均一に分散する、請求項３６に記載のパッチ。
【請求項３９】
ポリビニルアルコール、ポリビニルピロリドン、化工デンプン誘導体及び水解デンプンならびにこれらの組み合わせからなる群より選択される一以上の材料を含む水溶性ポリマーマトリックス層および水溶性ポリマーマトリックス層中に均一に分布する一以上の化粧用、皮膚用、及び薬剤用活性成分を有する、皮膚、毛嚢、または皮脂腺への有効レベルの化粧用、皮膚用、または薬剤用活性成分の制御された局所または経皮デリバリーを目的とするパッチ。